(57)【特許請求の範囲】
【請求項１】
ルーバ本体を取付け対象の開口部前面に配置すると共にファンを該開口部背部に配置し、取付け対象を介して双方を連結することで取付け対象を挟持して固定するファン付ルーバの取付け構造であって、
前記ルーバ本体は前記開口部に挿入する筒部を有し、該筒部全体を雄ネジとする一方、前記ファンの連結面に該雄ネジに螺合するリング状部材を設け、ルーバ本体に該リング状部材を締着してファン付ルーバを取付け対象に装着可能とし、
前記リング状部材は、雌ネジを形成したナット体と前記ファン本体を装着する連結枠とから成り、該連結枠が前記ナット体に外嵌してナット体に対して回転可能であることを特徴とするファン付ルーバの取付構造。
【請求項２】
連結枠とナット体の間に、連結枠をナット体螺入方向のみに回転可能とし、反対方向の回転を禁止する反転禁止機構を設けた請求項１記載のファン付ルーバの取付け構造。
【発明の詳細な説明】
【０００１】
【発明の属する技術分野】
本発明は、強制換気させるファン付ルーバに関し、特にその取付け構造の改良に関する。
【０００２】
【従来の技術】
従来のファン付ルーバは図６，図７に示すような構造となっている。図６はフード付ルーバの取付け構造を示し、取付け対象のボックス壁面２２をルーバ本体２１とファン２３で挟み込んで装着する構造であり、壁面２２に換気用開口部２５を形成すると共にネジ２４挿通用の孔２６を開口部の４隅に形成し、ボックス内部にファン２３を配置して、内側からネジ止めして装着している。
【０００３】
図７は、壁面開口部２７をファン２３の外寸より大きく形成してファン２３を挿通可能とし、予めルーバ本体２８にファン２３をネジ止め固定し、ルーバ本体２８に設けた爪２９を開口部２７の端部に係止させて装着する構造であり、必要に応じて更に開口部２７の４隅にネジを挿通する孔３０を形成してボックス内側からルーバ本体２８をネジ止め固定する構造となっている。
【０００４】
【発明が解決しようとする課題】
しかし、上記図６の取付け構造は、取付け用の孔加工が多く手間がかかるし、ボックス内でのネジ締め作業が発生するため、設置やファン交換の際の着脱作業の作業性が悪かった。また、図７の取付け構造は開口部２７に係止させる構造なため、開口部である角穴の寸法精度が悪い場合は係止できないし、振動、衝撃が加わるような部位への設置は、ネジ締めが必要であったりするため、ネジ挿通用の孔３０の形成加工が発生する場合があり、やはり孔加工に手間がかかっていた。
そこで、本発明は上記問題点に鑑み、取付け対象の加工が簡易であって、更に着脱の作業性の良いファン付ルーバの取付け構造を提供することを課題とする。
【０００５】
【課題を解決するための手段】
上記課題を解決するため、請求項１の発明は、ルーバ本体を取付け対象の開口部前面に配置すると共にファンを該開口部背部に配置し、取付け対象を介して双方を連結することで取付け対象を挟持して固定するファン付ルーバの取付け構造であって、前記ルーバ本体は前記開口部に挿入する筒部を有し、該筒部全体を雄ネジとする一方、前記ファンの連結面に該雄ネジに螺合するリング状部材を設け、ルーバ本体に該リング状部材を締着してファン付ルーバを取付け対象に装着可能とし、前記リング状部材は、雌ネジを形成したナット体と前記ファン本体を装着する連結枠とから成り、該連結枠が前記ナット体に外嵌してナット体に対して回転可能であることを特徴とする。
【０００７】
請求項２の発明は、請求項１の発明において、連結枠とナット体の間に、連結枠をナット体螺入方向のみに回転可能とし、反対方向の回転を禁止する反転禁止機構を設けたことを特徴とする。
【０００８】
【発明の実施の形態】
以下、本発明を具体化した実施の形態を、図面に基づいて詳細に説明する。図１は本発明に係るファン付ルーバを取付ける様子を示す斜視図であり、１はルーバ本体、２はファン、３はリング状部材、４は取付け対象であるボックス壁面を示し、図示左側がボックス前面、右側がボックス内である。
【０００９】
ルーバ本体１は、ボックス壁面４に形成した四角形開口部５前面を覆う枠体１ａと、枠体中央に有する換気口の壁面を後方へ伸ばして形成した筒部１ｂとを有し、筒部１ｂは略四角形状に形成され、その４隅にネジ溝６が形成され、筒部全体で雄ネジを形成している。また、筒部１ｂの平坦な４辺の夫々には、開口部５の各辺に係止する係止爪７が形成されている。
【００１０】
リング状部材３は、図２に示すように、ナット体９とナット体９に外嵌即ちナット体９を収納するように接合される連結枠１０の２部材から構成されている。ナット体９は、内側面にネジ溝１１が形成され、ルーバ本体１の筒部１ｂが形成する雄ネジに係合する雌ネジを構成している。また、Ａ部拡大図に示すように雌ネジ溝１１に隣接する後方には全周に亘り鋸刃状のギザ部１２が形成されている。このギザ部１２はネジ螺入方向端部に段差１２ａを設けて形成されて、隣接する段差間は緩やかな傾斜が形成されている。また、全体は樹脂成形により形成されている。
【００１１】
連結枠１０は、背面の４ヶ所にファン２をネジ止めするためのネジ孔１４が形成され、その裏面となる内側底面には、Ｂ部拡大図に示すように連結枠１０の内側面１０ａと所定の隙間（ナット体９の厚みより僅かに小さい隙間）を設けて舌片１５が前方に向けて複数突設されている。そして、ネジ孔形成部を除き全体が樹脂成形により形成され、ネジ孔形成部は金属片を埋め込んで形成されている。尚、舌片１５のピッチはギザ部１２のピッチに合わせて形成されている。
【００１２】
このように形成したナット体９と連結枠１０の組付け及び作用を説明すると、ナット体９を連結枠１０に収納して両者は接合されるが、その際、図３の要部拡大説明図に示すようにナット体９は連結枠１０の内側面１０ａと舌片１５の間に挿入されて一体化される。そのため、ギザ部１２と舌片１５は反転禁止機構を形成し、ナット体９に対して連結枠１０を螺入方向である右回転する、即ち螺入動作することなく連結枠１０を回転することはできても、反対方向の回転はギザ部の段差１２ａに舌片１５が係止して回転が阻止される。
【００１３】
そして、ナット体９と連結枠１０を接合したリング状部材３にファン２をネジ止めして組付け、ボックス壁面を介してルーバ本体１の筒部１ｂに螺着することで、図４に示すようにファン付ルーバは組み立てられると共に、壁面を挟持して取付け対象に装着される。
図４はルーバ本体１とファン２を連結してファン付ルーバを組み立てた状態を示す斜視図であり、上述するようにリング状部材３の反転禁止機構によりルーバ本体１に対してファン２は矢印で示す右回転は可能であるが、反対方向には回転できないよう形成されている。
【００１４】
このように、取付け対象に装着する際に別途ネジを使用しないので、取付け作業が容易であるし、ファンを交換する際にもルーバ本体からファンに連結したリング部材を外した後に、作業し易い場所でリング部材からファンを取り外す作業等すれば良く、ボックス内でのネジ外し作業を必要とせず、メンテナンスの作業性が向上する。
また、取付け対象を挟持する取付け構造なので、開口部の寸法精度や取付け場所の振動の有無等の環境に拘わらずネジを使わず確実な固定が可能であり、固定する際に工具を使用せず容易に固定できるし、ネジ挿通孔を形成する必要もないので加工が容易である。
【００１５】
更に、装着する際の締め付け力が強過ぎると、ナット体の周囲を連結枠が摺動回転するため、締着力が特定量以上になることが無くファン交換などの際にリング状部材を外せなくなったり、締めすぎることによりリング体が破損する等の虞がないし、反転禁止機構により取り外す際に連結枠のみが空回りすることが無く容易に取り外しできる。
また、ファン付ルーバを装着した状態でも連結枠が回転可能なためファンを回転することができ、ファンが傾斜した角度で装着状態となっても回転して角度調整でき、ファンを所定角度に位置決めできる。
【００１６】
図５は本発明の他の形態を示している。上記実施形態との相違点を説明すると、ルーバ本体１７の筒部１８には係止爪を設けず円筒形状とし、対応するボックス壁部の開口部１９も円形に形成してある。
このように、本発明のファン付ルーバはルーバ本体にファンを締着することで取付け対象を挟持して装着する構造な為、開口部に係止する係止爪を設けなくとも良い。また、開口部に挿入する筒部及び開口部このように円形にしても良い。
【００１７】
【発明の効果】
以上詳述したように、請求項１の発明によれば、取付け対象に取付ける際に別途ネジを使用しないので、取付け作業が容易であるし、ファンを交換する際にもボックス内でのネジ外し作業を必要とせず、ルーバ本体からファンに連結したリング部材を外した後に、作業し易い場所でリング部材からファンを取り外せば良く、メンテナンスの作業性が向上する。
また、取付け対象を挟持する取付け構造なので、開口部の寸法精度や取付け場所の振動の有無等の環境に拘わらずネジを使わず確実な固定が可能であるし、固定する際に工具を必要としない。更に、ネジ挿通孔を形成する必要がないので加工が容易である。
【００１８】
更に、ファン付ルーバを取付けた状態でファンを回転することができるので、ファンが傾斜した角度で締着状態となっても、回転して角度調整でき、ファンを所定角度に位置決めできる。
【００１９】
請求項２の発明によれば、請求項１の効果に加えて、締め付け力が強過ぎるとナット体の周囲を連結枠が摺動回転して締着力が特定量以上になることが無く、ファン交換などの際にリング体を外せなくなったり、強く締めすぎてリング体が破損する等の虞がない。
【図面の簡単な説明】
【図１】本発明の実施形態の一例し、ファン付ルーバを取付ける様子を示す斜視図である。
【図２】図１のリング部材の分解斜視図及びその部分拡大図である。
【図３】ギザ部と舌片の係合状態を示す説明図である。
【図４】ルーバ本体とファンを連結した状態の斜視図である。
【図５】本発明の他の形態を示す斜視図である。
【図６】従来のファン付ルーバを取付ける様子を示す斜視図である。
【図７】従来のファン付ルーバを取付ける様子を示す斜視図である。
【符号の説明】
１・・ルーバ本体、１ａ・・枠体、１ｂ・・筒部、２・・ファン、３リング状部材、４・・ボックス壁面（取付け対象）、５・・開口部、６・・ネジ溝、９・・ナット体、１０・・連結枠、１１・・ネジ溝、１２・・ギザ部、１５・・舌片、１７ルーバ本体、１８・・筒部、１９・・開口部。
【図１】
0003645835.tif 000002
【図２】
0003645835.tif 000003
【図３】
0003645835.tif 000004
【図４】
0003645835.tif 000005
【図５】
0003645835.tif 000006
【図６】
0003645835.tif 000007
【図７】
0003645835.tif 000008